(57)【要約】【課題】様々な利用者に対して建物等の存在位置を容易に認識させる。【解決手段】データ生成部（制御装置３３）が、移動端末から現在位置データＤｐ１、目的地データＤｐ２、および利用者特定用の端末ＩＤデータＤｉを取得するデータ取得処理と、現在位置から目的地までの経路を特定する第１特定処理と、移動端末を利用している利用者を特定すると共に特定した利用者に関連付けられている所定のパラメータを特定する第２特定処理と、各案内データ（地図データＤ１，Ｄ２）のうちの特定した所定のパラメータに関連付けられている案内データに基づき、特定した経路に対応する案内図データＤｍを生成するデータ生成処理とを実行し、データ出力部（制御装置３３および通信モデム３１）が、案内図データＤｍを移動端末に出力するように情報配信サーバを構成する。【選択図】図４
2006133047.tif 000002
【特許請求の範囲】
【請求項１】
表示態様が相違する複数種類の案内データを所定のパラメータに関連付けて記憶すると共に移動端末の利用者についての利用者データを当該所定のパラメータに関連付けて記憶する記憶部と、前記移動端末に案内図を表示させるための表示用データを前記案内データに基づいて生成するデータ生成部と、前記表示用データを前記移動端末に出力するデータ出力部とを備え、
前記データ生成部は、前記移動端末の現在位置を特定可能な現在位置データ、案内すべき目的地を特定可能な目的地データ、および前記移動端末を利用している前記利用者を特定可能な特定用データを取得するデータ取得処理と、
取得した前記現在位置データおよび前記目的地データに基づいて前記現在位置から前記目的地までの経路を特定する第１特定処理と、
取得した前記特定用データに基づいて前記移動端末を利用している前記利用者を特定すると共に当該特定した当該利用者に関連付けられている前記所定のパラメータを前記利用者データに基づいて特定する第２特定処理と、
前記各案内データのうちの前記特定した所定のパラメータに関連付けられている当該案内データに基づき、前記特定した経路に対応する前記表示用データを生成するデータ生成処理とを実行するデータ出力サーバ。
【請求項２】
前記記憶部は、性別、年齢および職業のうちの少なくとも１つを前記所定のパラメータとして前記利用者データに関連付けて記憶する請求項１記載のデータ出力サーバ。
【請求項３】
取得した表示用データに基づいて表示部に案内図を表示させる移動端末と、当該移動端末に前記表示用データを出力するデータ出力サーバとを備え、
前記データ出力サーバは、表示態様が相違する複数種類の案内データを所定のパラメータに関連付けて記憶すると共に前記移動端末の利用者についての利用者データを当該所定のパラメータに関連付けて記憶する記憶部と、前記案内データに基づいて前記表示用データを生成するデータ生成部と、前記表示用データを前記移動端末に出力するデータ出力部とを備え、
前記データ生成部は、前記移動端末の現在位置を特定可能な現在位置データ、案内すべき目的地を特定可能な目的地データ、および前記移動端末を利用している前記利用者を特定可能な特定用データを取得するデータ取得処理と、
取得した前記現在位置データおよび前記目的地データに基づいて前記現在位置から前記目的地までの経路を特定する第１特定処理と、
取得した前記特定用データに基づいて前記移動端末を利用している前記利用者を特定すると共に当該特定した当該利用者に関連付けられている前記所定のパラメータを前記利用者データに基づいて特定する第２特定処理と、
前記各案内データのうちの前記特定した所定のパラメータに関連付けられている当該案内データに基づき、前記特定した経路に対応する前記表示用データを生成するデータ生成処理とを実行する案内図表示システム。
【請求項４】
前記移動端末は、複数の測位用衛星からの各測位用信号に基づいて現在位置を測位する測位処理部を備えて当該測位処理部の測位結果に基づいて前記現在位置データを生成して前記データ出力サーバに出力する請求項３記載の案内図表示システム。
【発明の詳細な説明】
【技術分野】
【０００１】
本発明は、移動端末に案内図を表示させるための表示用データを出力するデータ出力サーバ、およびそのデータ出力サーバと移動端末とを備えた案内図表示システムに関するものである。
【背景技術】
【０００２】
この種の案内図表示システム（移動端末）として、地図上の任意の位置を選択することにより、その位置の周辺地図と、選択した位置から見える風景（風景静止画）とを表示する電子案内装置（以下、「案内装置」ともいう）が特開平５−３１３５６７号公報に開示されている。また、この種の案内装置には、現在位置の周辺を表す地図上に目標となる建物等の絵（アイコン）や建物名等を重ねた案内図を表示するものが存在する。
【特許文献１】特開平５−３１３５６７号公報
【発明の開示】
【発明が解決しようとする課題】
【０００３】
ところが、従来の案内装置には、以下の問題点がある。すなわち、従来の案内装置では、選択された位置の周辺地図とその位置から見える風景（風景静止画）とを表示部に並べて表示したり、現在位置の周辺地図上に目標となる建物等の絵や建物名等を重ねた案内図を表示したりすることにより、道路や建物等の位置を容易に認識させようとしている。この場合、例えば風景静止画を表示する案内装置では、利用者の年齢に関係なく、選択された位置に対して予め関連付けられている風景静止画が画一的に表示される。この際に、利用者が子供の場合と大人の場合とでは視線の高さが大きく相違するため、例えば大人の視線の高さに合わせて撮像した風景静止画を表示させたときには、利用者が子供の場合に、表示される風景静止画と実際の風景とが大きく相違することとなる。したがって、表示されている地図がいずれの場所についての地図なのかを認識するのが難しいため、道路や建物等の存在位置を把握するのが困難になるという問題点がある。
【０００４】
また、現在位置の周辺地図上に目標となる建物のアイコン等を重ねた案内図を表示させる案内装置においても、利用者の年齢や職業等に関係なく、その位置に対して予め関連付けられているアイコンが周辺地図上に重ねられた案内図が画一的に表示される。この際に、例えば利用者が会社員の場合と学生の場合とでは、目標として表示されるアイコンによって表される建物等の位置についての認識に差がある。具体的には、例えば利用者が学生のときには、銀行のアイコンが目標として表示されたとしても、その銀行が実際にどの位置に存在するかを認識していないことがあり、表示されている地図がいずれの場所についての地図なのかを認識できない結果、道路等の存在位置を把握するのが困難になるという問題点がある。
【０００５】
本発明は、かかる問題点に鑑みてなされたものであり、様々な利用者に対して道路等の存在位置を容易に認識させ得るデータ出力サーバおよび案内図表示システムを提供することを主目的とする。
【課題を解決するための手段】
【０００６】
上記目的を達成すべく本発明に係るデータ出力サーバは、表示態様が相違する複数種類の案内データを所定のパラメータに関連付けて記憶すると共に移動端末の利用者についての利用者データを当該所定のパラメータに関連付けて記憶する記憶部と、前記移動端末に案内図を表示させるための表示用データを前記案内データに基づいて生成するデータ生成部と、前記表示用データを前記移動端末に出力するデータ出力部とを備え、前記データ生成部は、前記移動端末の現在位置を特定可能な現在位置データ、案内すべき目的地を特定可能な目的地データ、および前記移動端末を利用している前記利用者を特定可能な特定用データを取得するデータ取得処理と、取得した前記現在位置データおよび前記目的地データに基づいて前記現在位置から前記目的地までの経路を特定する第１特定処理と、
取得した前記特定用データに基づいて前記移動端末を利用している前記利用者を特定すると共に当該特定した当該利用者に関連付けられている前記所定のパラメータを前記利用者データに基づいて特定する第２特定処理と、前記各案内データのうちの前記特定した所定のパラメータに関連付けられている当該案内データに基づき、前記特定した経路に対応する前記表示用データを生成するデータ生成処理とを実行する。
【０００７】
このデータ出力サーバでは、データ生成部が、移動端末を利用している利用者を特定すると共に特定した利用者に関連付けられている所定のパラメータを特定し、各案内データのうちの特定した所定のパラメータに関連付けられている案内データに基づき、特定した経路に対応する表示用データを生成する。したがって、このデータ出力サーバによれば、すべての利用者に対して同一の表示態様で案内図が画一的に表示される従来の案内装置とは異なり、各利用者に対して道路や建物等の位置を確実かつ容易に認識させ得る表示態様で移動端末に案内図を表示させることができる。
【０００８】
また、本発明に係るデータ出力サーバは、上記のデータ出力サーバにおいて、前記記憶部が、性別、年齢および職業のうちの少なくとも１つを前記所定のパラメータとして前記利用者データに関連付けて記憶する。
【０００９】
このデータ出力サーバによれば、記憶部が、性別、年齢および職業のうちの少なくとも１つを所定のパラメータとして利用者データに関連付けて記憶することにより、性別、年齢および職業が相違する様々な利用者が携帯する移動端末に認識が容易な目標物が描かれた案内図をそれぞれ確実に表示させることができる。
【００１０】
また、本発明に係る案内図表示システムは、取得した表示用データに基づいて表示部に案内図を表示させる移動端末と、当該移動端末に前記表示用データを出力するデータ出力サーバとを備え、前記データ出力サーバは、表示態様が相違する複数種類の案内データを所定のパラメータに関連付けて記憶すると共に前記移動端末の利用者についての利用者データを当該所定のパラメータに関連付けて記憶する記憶部と、前記案内データに基づいて前記表示用データを生成するデータ生成部と、前記表示用データを前記移動端末に出力するデータ出力部とを備え、前記データ生成部は、前記移動端末の現在位置を特定可能な現在位置データ、案内すべき目的地を特定可能な目的地データ、および前記移動端末を利用している前記利用者を特定可能な特定用データを取得するデータ取得処理と、
取得した前記現在位置データおよび前記目的地データに基づいて前記現在位置から前記目的地までの経路を特定する第１特定処理と、取得した前記特定用データに基づいて前記移動端末を利用している前記利用者を特定すると共に当該特定した当該利用者に関連付けられている前記所定のパラメータを前記利用者データに基づいて特定する第２特定処理と、前記各案内データのうちの前記特定した所定のパラメータに関連付けられている当該案内データに基づき、前記特定した経路に対応する前記表示用データを生成するデータ生成処理とを実行する。
【００１１】
この案内図表示システムでは、取得した表示用データに基づいて表示部に案内図を表示させる移動端末と、移動端末に表示用データを出力するデータ出力サーバとを備え、データ出力サーバのデータ生成部が、移動端末を利用している利用者を特定すると共に特定した利用者に関連付けられている所定のパラメータを特定し、各案内データのうちの特定した所定のパラメータに関連付けられている案内データに基づき、特定した経路に対応する表示用データを生成する。したがって、この案内図表示システムによれば、すべての利用者に対して同一の表示態様で案内図が画一的に表示される従来の案内装置とは異なり、各利用者に対して道路や建物等の位置を確実かつ容易に認識させ得る表示態様で移動端末に案内図を表示させることができる。
【００１２】
また、本発明に係る案内図表示システムは、上記の案内図表示システムにおいて、前記移動端末が、複数の測位用衛星からの各測位用信号に基づいて現在位置を測位する測位処理部を備えて当該測位処理部の測位結果に基づいて前記現在位置データを生成して前記データ出力サーバに出力する。
【００１３】
この案内図表示システムでは、移動端末が、複数の測位用衛星からの各測位用信号に基づいて現在位置を測位する測位処理部を備えて現在位置データを生成してデータ出力サーバに出力する。したがって、この案内図表示システムによれば、データ出力サーバが移動端末の現在位置を正確に把握して的確な経路を特定することができると共に、移動端末が案内図に対応する領域内に存在しているか否かを正確に判別して的確な表示タイミングで案内図を表示させることができる。
【発明を実施するための最良の形態】
【００１４】
以下、本発明に係るデータ出力サーバおよび案内図表示システムの最良の形態について、添付図面を参照して説明する。図１に示す案内図表示システム１０は、交差点案内図等の各種案内図Ｍ（図８〜１１参照）を携帯端末１，１・・などに表示させるためのシステムであって、複数の携帯端末１，１・・、複数の無線基地局２，２・・および情報配信サーバ３を備え、各無線基地局２，２・・および情報配信サーバ３がネットワークＮを介して相互に接続されている。なお、同図では、２台の携帯端末１、および２つの無線基地局２のみを図示している。
【００１５】
携帯端末１は、本発明における移動端末の一例であって、図２に示すように、無線通信部１１、ＧＰＳ処理部１２、記憶部１３、表示部１４、操作部１５および制御部１６を備えている。無線通信部１１は、制御部１６の制御に従って無線基地局２との間で、端末ＩＤデータＤｉ、現在位置データＤｐ１、目的地データＤｐ２および案内図データＤｍなどを送受信する。ＧＰＳ処理部１２は、本発明における測位処理部に相当し、図１に示すＧＰＳ衛星９，９・・（本発明における測位用衛星）からそれぞれ出力されているＧＰＳ信号Ｓｇ（本発明における測位用信号）を受信すると共に、受信したＧＰＳ信号Ｓｇに基づいて携帯端末１の現在位置を測位する。なお、ＧＰＳ処理部１２による現在位置の測位原理については公知のため、その説明を省略する。
【００１６】
記憶部１３は、各携帯端末１，１・・に対して個別的に付与された端末ＩＤデータＤｉ（携帯端末１に固有の識別情報）や制御部１６の動作プログラムなどを記憶する。この場合、端末ＩＤデータＤｉは、本発明における特定用データに相当し、後述するように、この端末ＩＤデータＤｉが情報配信サーバ３に送信されることによって情報配信サーバ３が端末ＩＤデータＤｉの利用者を特定する際に利用される。また、記憶部１３は、携帯端末１の現在位置についての現在位置データＤｐ１、目的地についての目的地データＤｐ２、および情報配信サーバ３から出力された案内図データＤｍ（本発明における表示用データの一例）などを記憶する。
【００１７】
表示部１４は、一例としてカラー液晶表示器で構成されて、情報配信サーバ３によって生成されてネットワークＮおよび無線基地局２を介して配信された案内図データＤｍに基づく案内図Ｍなどをカラー表示する。操作部１５は、案内図Ｍを表示させる際に目的地を入力操作するための各種操作ボタンなど（図示せず）が配列されて構成され、これらのボタン操作に応じた操作信号を出力する。制御部１６は、操作部１５から出力された操作信号に従い、無線通信部１１、ＧＰＳ処理部１２および表示部１４を制御する。また、制御部１６は、図５に示す案内図表示処理４０を実行して情報配信サーバ３から配信された（出力された）案内図データＤｍに基づく案内図Ｍを表示部１４に表示させる。
【００１８】
無線基地局２は、案内図表示システム１０の利用可能エリア内（携帯端末１，１・・の通話エリア内）に設置されて携帯端末１，１・・との間で無線通信を実行する。具体的には、図３に示すように、無線基地局２は、無線通信部２１、通信モデム２２、記憶部２３および制御装置２４を備えている。無線通信部２１は、制御装置２４の制御に従い、携帯端末１との間で端末ＩＤデータＤｉ、現在位置データＤｐ１、目的地データＤｐ２および案内図データＤｍなどを送受信する。通信モデム２２は、制御装置２４の制御に従い、ネットワークＮを介して情報配信サーバ３との間で端末ＩＤデータＤｉ、現在位置データＤｐ１、目的地データＤｐ２および案内図データＤｍなどを送受信する。記憶部２３は、制御装置２４の動作プログラムなどを記憶する。
【００１９】
情報配信サーバ３は、本発明に係るデータ出力サーバの一例であって、図４に示すように、通信モデム３１、記憶部３２および制御装置３３を備えている。通信モデム３１は、携帯端末１から送信された（出力された）端末ＩＤデータＤｉ、現在位置データＤｐ１および目的地データＤｐ２を制御装置３３の制御に従って受信する。また、通信モデム３１は、制御装置３３と相俟って本発明におけるデータ出力部を構成し、携帯端末１に表示させるべき案内図Ｍについての案内図データＤｍを携帯端末１に向けて送信（出力）する。記憶部３２は、一例としてＨＤＤなどの大容量記憶装置で構成され、地図データＤ１，Ｄ２（図７参照）や、携帯端末１，１・・の利用者についての利用者データ（図示せず）などを記憶する。制御装置３３は、本発明におけるデータ生成部に相当し、後述するように、図６に示す案内図データ配信処理５０を実行して携帯端末１に送信すべき案内図データＤｍを生成する。
【００２０】
この場合、記憶部３２に記憶されている利用者データは、一例として、携帯端末１の端末ＩＤデータＤｉ（すなわち、携帯端末１の利用者）毎の利用者属性と端末ＩＤデータＤｉとが関連付けられて構成されている。具体的には、この案内図表示システム１０では、一例として、性別（「男性」および「女性」のいずれか）と、年齢（「≦９歳」、「１０〜１９歳」、「２０〜２９歳」、「３０〜３９歳」、「４０〜４９歳」、「５０〜５９歳」および「≧６０歳」のいずれか）と、職業（「会社員」、「学生」、「主婦」および「その他」のいずれか）との３つのパラメータを本発明における「所定のパラメータ」とし、各携帯端末１，１・・の利用者（端末ＩＤデータＤｉ）毎に上記各パラメータがいずれの項目に該当するかを特定可能な情報（利用者属性）を含んで利用者データが構成されている。
【００２１】
一方、記憶部３２に記憶されている地図データＤ１，Ｄ２は、本発明における案内データに相当し、案内図データＤｍを生成する際に使用される。地図データＤ１は、図７に示すように、道路等の所在地に対応して生成されている。なお、同図では、地図データＤ１，Ｄ２に基づく地図を概念的に表示している。地図データＤ２は、商店（ショップ、コンビニエンスストア（コンビニ）およびデパート等）や銀行等の所在地に対応して生成されている。この地図データＤ２には、各商店や銀行等（以下、「目標物」ともいう）をいずれの利用者に対して表示すべきかを特定可能な情報（本発明における「所定のパラメータ」の一例）が含まれている。具体的には、例えば「銀行１」については、同図に示すように、性別が「男性」であって、年齢が「４０〜４９歳」、「５０〜５９歳」および「≧６０歳」のいずれかであれば、職業が「会社員」、「学生」、「主婦」および「その他」のいずれであっても案内図データＤｍ内に表示させるとする情報が含まれている。
【００２２】
次に、案内図表示システム１０の全体的な動作について、図面を参照して説明する。携帯端末１の表示部１４に案内図Ｍを表示させるには、まず、所定の入力操作画面を表示部１４に表示させた状態で操作部１５を操作することにより、所望の目的地を入力操作する。この際に、制御部１６は、入力操作に応じて目的地データＤｐ２を生成して記憶部１３に記憶させる。次いで、表示開始の操作を行う。この際に、制御部１６は、図５に示す案内図表示処理４０を開始する。この案内図表示処理４０では、制御部１６は、目的地の設定が完了しているか否か（目的地データＤｐ２の生成が完了しているか否か）を判別し（ステップ４１）、完了しているときには、ＧＰＳ処理部１２を制御して現在位置を測位させる（ステップ４２）。これに応じて、ＧＰＳ処理部１２は、各ＧＰＳ衛星９，９・・からのＧＰＳ信号Ｓｇ，Ｓｇ・・の受信を開始して現在位置（緯度、経度および高度）を測位し、測位結果を制御部１６に出力する。続いて、制御部１６は、ＧＰＳ処理部１２による測位結果に基づいて現在位置データＤｐ１を生成して記憶部１３に記憶させる。
【００２３】
次いで、制御部１６は、情報配信サーバ３に案内図データＤｍの配信（出力）を要求する（ステップ４３）。具体的には、制御部１６は、無線通信部１１を制御して、無線基地局２を介して情報配信サーバ３に向けて、端末ＩＤデータＤｉ、現在位置データＤｐ１および目的地データＤｐ２を送信（出力）させる。続いて、制御部１６は、情報配信サーバ３から案内図データＤｍが配信されるまで待機する（ステップ４４）。一方、無線基地局２では、制御装置２４が通信モデム２２を制御することにより、無線通信部２１が受信した（携帯端末１から送信された）端末ＩＤデータＤｉ、現在位置データＤｐ１および目的地データＤｐ２を情報配信サーバ３に向けてネットワークＮを介して転送（出力）する。これに応じて、情報配信サーバ３では、制御装置３３が図６に示す案内図データ配信処理５０を開始する。
【００２４】
この案内図データ配信処理５０では、まず、通信モデム３１が携帯端末１から出力された端末ＩＤデータＤｉ、現在位置データＤｐ１および目的地データＤｐ２を受信して記憶部３２に記憶させる（本発明における「データ取得処理」：ステップ５１）。次いで、制御装置３３は、受信した端末ＩＤデータＤｉに基づいて、いずれの利用者（携帯端末１）から案内図データＤｍの配信要求があったのかを特定すると共に、記憶部３２に記憶されている利用者データに基づき、特定した利用者に該当する利用者属性を特定する（本発明における「第２特定処理」：ステップ５２）。この際には、受信した端末ＩＤデータＤｉに対応する携帯端末１の利用者が、例えば、性別＝「女性」、年齢＝「２０〜２９歳」、職業「会社員」であると特定される。次いで、制御装置３３は、受信した現在位置データＤｐ１および目的地データＤｐ２に基づき、携帯端末１の現在地から、利用者が所望の目的地までの経路（道順）についての経路データを所定のアルゴリズムに従って生成する（本発明における「第１特定処理」：ステップ５３）。
【００２５】
続いて、制御装置３３は、生成した経路データから、経路内に存在する交差点（要案内箇所）についての交差点ＩＤを抽出する（ステップ５４）。この際に抽出される交差点ＩＤは、携帯端末１の現在地（現在位置データＤｐ１に対応する位置）から目的地（目的地データＤｐ２）までの間について制御装置３３によってステップ５３において決定された経路中に存在する要案内箇所の数だけ抽出される。次いで、制御装置３３は、抽出した交差点ＩＤに対応する地図データＤ１，Ｄ２を記憶部３２から読み出すと共に、ステップ５２で特定した利用者属性に基づき、地図データＤ２のうちの案内図データＤｍの生成に使用する情報を特定する（携帯端末１の利用者に応じた案内図Ｍの表示態様の特定：ステップ５５）。具体的には、制御装置３３は、地図データＤ２に含まれている各目標物のうち、携帯端末１の利用者（この例では、「女性」、「２０〜２９歳」および「会社員」を満たす者）に対して案内図Ｍ中に表示すべき目標物を特定する。
【００２６】
この際に、図７に示すように、例えば「銀行１」や「銀行２」については、性別が「女性」の該当者に対して非表示（値が「０」）であることが規定され、「コンビニ１」については、年齢が「２０〜２９歳」の該当者に対して非表示（値が「０」）であることが規定されている。一方、「デパート１」や「ショップ１」については、「女性」、「２０〜２９歳」および「会社員」のすべてに対して表示する（値が「１」）ことが規定されている。したがって、制御装置３３は、「銀行１」、「銀行２」および「コンビニ１」を非表示とし、「デパート１」および「ショップ１」を表示させる旨を決定する。続いて、制御装置３３は、地図データＤ１に基づく地図上に、地図データＤ２中の表示すべき目標物についての情報（この例は、建物を表す「■」、および「デパート１」等の文字列）を重ね合わせた画像データを生成することにより、案内図データＤｍを生成する（本発明における「データ生成処理」：ステップ５６）。この後、制御装置３３は、通信モデム３１を制御して案内図データＤｍを携帯端末１に向けて配信（出力）して（ステップ５７）、この案内図データ配信処理５０を終了する。
【００２７】
一方、携帯端末１では、制御部１６が無線通信部１１を介して情報配信サーバ３から配信された案内図データＤｍを受信したときに（ステップ４５）、受信した案内図データＤｍに基づくすべての案内図Ｍ，Ｍ・・の表示が完了したかを判別する（ステップ４６）。この際に、案内図データＤｍの配信要求の直後においては、いずれの案内図Ｍも表示していないと判別し、制御部１６は、ＧＰＳ処理部１２を制御して携帯端末１の現在位置を測位させる（ステップ４７）。これに応じて、ＧＰＳ処理部１２は、各ＧＰＳ衛星９，９・・からのＧＰＳ信号Ｓｇ，Ｓｇ・・の受信を開始して現在位置（緯度、経度および高度）を測位して、測位結果を制御部１６に出力する。また、制御部１６は、情報配信サーバ３から配信された案内図データＤｍに基づく最初の案内図Ｍ（最初に表示させるべき案内図Ｍ）に対応する領域を特定すると共に、特定した領域とＧＰＳ処理部１２から出力された測位結果とに基づき、携帯端末１の現在位置が最初の案内図Ｍに対応する領域内か否かを判別する（ステップ４８）。
【００２８】
この際に、現在位置が最初の案内図Ｍに対応する領域外のときには、制御部１６は、ステップ４６に戻って案内図Ｍ，Ｍ・・の表示が完了していないと判別し、ＧＰＳ処理部１２に携帯端末１の現在位置を測位させ（ステップ４７）、現在位置が最初の案内図Ｍに対応する領域内か否かを再び判別する（ステップ４８）。一方、携帯端末１の利用者が目的地に向けて移動することにより、ステップ４７においてＧＰＳ処理部１２に測位させた現在位置が最初の案内図Ｍに対応する領域内であると判別したときには（ステップ４８）、制御部１６は、案内図データＤｍに基づく案内図Ｍを表示部１４に表示させる（ステップ４９）。この際には、図８に示すように、一例として、携帯端末１の利用者が、「女性」、「２０〜２９歳」および「会社員」に該当するときには、情報配信サーバ３によって「デパート１」および「ショップ１」が目標物として表示される案内図データＤｍが生成されて出力されているため、表示部１４には、交差点近傍の地図上に「デパート１」および「ショップ１」を示す「■」と文字列とが重ねて表示される。
【００２９】
一方、図９に示すように、携帯端末１の利用者が「女性」、「１０〜１９歳」および「学生」に該当するときには、前述した案内図データ配信処理５０において情報配信サーバ３によって地図データＤ２中の利用者属性に基づき、「コンビニ１」および「デパート１」が目標物として表示される案内図データＤｍが生成されて出力されるため、表示部１４には、交差点近傍の地図上に「コンビニ１」および「デパート１」を示す「■」と文字列とが重ねて表示される。また、図１０に示すように、携帯端末１の利用者が「男性」、「３０〜３９歳」および「会社員」に該当するときには、前述した案内図データ配信処理５０において情報配信サーバ３によって地図データＤ２中の利用者属性に基づき、「銀行２」および「コンビニ１」が目標物として表示される案内図データＤｍが生成されて出力されるため、表示部１４には、交差点近傍の地図上に「銀行２」および「コンビニ１」を示す「■」と文字列とが重ねて表示される。さらに、図１１に示すように、携帯端末１の利用者が「男性」、「５０〜５９歳」および「会社員」に該当するときには、前述した案内図データ配信処理５０において情報配信サーバ３によって地図データＤ２中の利用者属性に基づき、「銀行１」および「銀行２」が目標物として表示される案内図データＤｍが生成されて出力されるため、表示部１４には、交差点近傍の地図上に「銀行１」および「銀行２」を示す「■」と文字列とが重ねて表示される。
【００３０】
以上のように、携帯端末１の利用者が属する（該当する）利用者属性に応じて表示される目標物が相違する案内図データＤｍが情報配信サーバ３から出力されているため、携帯端末１の表示部１４には、各利用者にとって道路や建物等の位置を把握し易い案内図Ｍが表示される。この後、制御部１６は、ステップ４６に戻って案内図データＤｍに基づくすべての案内図Ｍ，Ｍ・・の表示が完了したか否かを判別し、表示が完了していないときには、ＧＰＳ処理部１２に現在位置を測位させると共に（ステップ４７）、その測位結果が次に表示すべき案内図Ｍに対応する領域内のときに（ステップ４８）、案内図Ｍを表示部１４に表示させる（ステップ４９）。また、ステップ４６において、すべての案内図Ｍ，Ｍ・・の表示を完了したと判別したときに、制御部１６は、この案内図表示処理４０を終了する。
【００３１】
このように、この携帯端末１、情報配信サーバ３および案内図表示システム１０では、制御装置３３が、携帯端末１を利用している利用者を特定すると共に特定した利用者に関連付けられている所定のパラメータ（利用者属性）を特定し、各地図データＤ１，Ｄ２・・のうちの特定した所定のパラメータに関連付けられている地図データＤ１，Ｄ２に基づき、特定した経路に対応する案内図データＤｍを生成する。したがって、この携帯端末１、情報配信サーバ３および案内図表示システム１０によれば、すべての利用者に対して同一の表示態様で案内図が画一的に表示される従来の案内装置とは異なり、各利用者に対して道路や建物等の位置を確実かつ容易に認識させ得る表示態様で携帯端末１の表示部１４に案内図Ｍを表示させることができる。
【００３２】
また、この携帯端末１、情報配信サーバ３および案内図表示システム１０によれば、記憶部３２が、性別、年齢および職業を本発明における所定のパラメータとして利用者データに関連付けて記憶することにより、性別、年齢および職業が相違する様々な利用者が携帯する携帯端末１に認識が容易な目標物が描かれた案内図Ｍをそれぞれ確実に表示させることができる。
【００３３】
さらに、この案内図表示システム１０では、取得した案内図データＤｍに基づいて表示部１４に案内図Ｍを表示させる携帯端末１と、携帯端末１に案内図データＤｍを出力する情報配信サーバ３とを備え、情報配信サーバ３の制御装置３３が、携帯端末１を利用している利用者を特定すると共に特定した利用者に関連付けられている所定のパラメータを特定し、各地図データＤ１，Ｄ２・・のうちの特定した所定のパラメータに関連付けられている地図データＤ１，Ｄ２に基づき、特定した経路に対応する案内図データＤｍを生成する。したがって、この案内図表示システム１０によれば、すべての利用者に対して同一の表示態様で案内図が画一的に表示される従来の案内装置とは異なり、各利用者に対して道路や建物等の位置を確実かつ容易に認識させ得る表示態様で携帯端末１の表示部１４に案内図Ｍを表示させることができる。
【００３４】
また、この案内図表示システム１０では、携帯端末１が、複数のＧＰＳ衛星９，９・・からの各ＧＰＳ信号Ｓｇ，Ｓｇ・・に基づいて現在位置を測位するＧＰＳ処理部１２を備えて現在位置データＤｐ１を生成して情報配信サーバ３に出力する。したがって、この案内図表示システム１０によれば、情報配信サーバ３が携帯端末１の現在位置を正確に把握して的確な経路を特定することができると共に、携帯端末１が案内図Ｍに対応する領域内に存在しているか否かを正確に判別して的確な表示タイミングで案内図Ｍを表示させることができる。
【００３５】
なお、本発明は、上記の構成に限定されない。例えば、上記の携帯端末１のような携帯電話タイプのような移動端末に限定されず、本発明における移動端末には、ＰＨＳタイプの移動端末や、ＰＤＡ（Personal Digital Assistant）タイプの移動端末などの各種移動端末が含まれる。また、上記の案内図表示システム１０では、携帯端末１がＧＰＳ処理部１２の測位結果に基づいて現在位置データＤｐ１を生成して情報配信サーバ３に送信する構成が採用されているが、本発明はこれに限定されず、目的地データＤｐ２の生成と同様にして、現在位置についても操作部１５を操作して入力することで現在位置データＤｐ１を生成するように構成することもできる。さらに、携帯端末１の現在位置を特定するためのデータ（本発明における現在位置データ）については、携帯端末１から情報配信サーバ３に送信するものに限定されず、例えば、携帯端末１から出力される電波の各無線基地局２，２・・に対する電界強度等に基づいて携帯端末１の現在位置を測位する携帯電話位置測位システム等によって取得した現在位置を利用することもできる。
【００３６】
また、上記の案内図表示システム１０では、性別、年齢および職業のすべてを本発明における所定のパラメータとして利用して利用者属性を規定しているが、性別、年齢および職業のうちのいずれか１つまたは２つのみを利用して利用者属性を規定したり、上記の３つのパラメータ以外の所定のパラメータ（一例として、「趣味」や「好きな色」等）を含む各パラメータのうちから任意の数のパラメータを利用して利用者属性を規定したりする構成を採用することもできる。
【図面の簡単な説明】
【００３７】
【図１】案内図表示システム１０の構成を示すブロック図である。
【図２】携帯端末１の構成を示すブロック図である。
【図３】無線基地局２の構成を示すブロック図である。
【図４】情報配信サーバ３の構成を示すブロック図である。
【図５】案内図表示処理４０のフローチャートである。
【図６】案内図データ配信処理５０のフローチャートである。
【図７】地図データＤ１，Ｄ２のデータ構造の概念図である。
【図８】案内図Ｍ（案内図データＤｍ）の一例を示す図である。
【図９】案内図Ｍ（案内図データＤｍ）の他の一例を示す図である。
【図１０】案内図Ｍ（案内図データＤｍ）のさらに他の一例を示す図である。
【図１１】案内図Ｍ（案内図データＤｍ）のさらに他の一例を示す図である。
【符号の説明】
【００３８】
１  携帯端末、２  無線基地局、３  情報配信サーバ、９  ＧＰＳ衛星、１０  案内図表示システム、１１  無線通信部、１２  ＧＰＳ処理部、１４  表示部、１６  制御部、３１  通信モデム、３２  記憶部、３３  制御装置、４０  案内図表示処理、５０  案内図データ配信処理、Ｄ１，Ｄ２  地図データ、Ｄｉ  端末ＩＤデータ、Ｄｍ  案内図データ、Ｄｐ１  現在位置データ、Ｄｐ２  目的地データ、Ｍ  案内図、Ｓｇ  ＧＰＳ信号Ｓｇ
【図１】
2006133047.tif 000003
【図２】
2006133047.tif 000004
【図３】
2006133047.tif 000005
【図４】
2006133047.tif 000006
【図５】
2006133047.tif 000007
【図６】
2006133047.tif 000008
【図７】
2006133047.tif 000009
【図８】
2006133047.tif 000010
【図９】
2006133047.tif 000011
【図１０】
2006133047.tif 000012
【図１１】
2006133047.tif 000013